(57)【要約】【課題】回転槽内に収容された洗濯物を早期に湿らせることができると共に、回転槽内の必要な所に水を供給することができる洗濯機を提供する。【解決手段】洗濯機１の水槽３内に回転槽４を設け、給水源から供給される水を回転槽４内に供給する第１の給水手段２０及び第２の給水手段２１を設ける。給水源から供給される水は、第１の給水手段２０によって注水ケース２３を介して回転槽４内に下方向（矢印Ａ方向）へ放出され、第２の給水手段２１によって注水ケースを介さずに回転槽４の回転中心の方向（矢印Ｂ方向）へ放出され、回転槽４内に供給される。この第１の給水手段２０及び第２の給水手段２１を制御装置１５で独立に制御する。【選択図】図１
2010268842.tif 000002
【特許請求の範囲】
【請求項１】
水槽と、
脱水孔を有し前記水槽内に回転可能に設けられた有底円筒状をなす回転槽と、
給水源から供給される水を前記回転槽内に互いに異なる方向へ供給する複数の給水手段と、
洗い行程、すすぎ行程及び脱水行程を実行するように洗濯機負荷を制御すると共に、前記複数の給水手段を独立に制御する制御手段とを備えていることを特徴とする洗濯機。
【請求項２】
前記複数の給水手段は、前記給水源から供給される水を注水ケースを介して前記回転槽内に供給する第１の給水手段と、前記給水源から供給される水を前記注水ケースを介さずに前記回転槽内に供給する第２の給水手段とを備えていることを特徴とする請求項１記載の洗濯機。
【請求項３】
前記制御手段は、洗い行程後の脱水終了後に前記回転槽を回転させながら前記給水手段から給水してすすぎを行うシャワーすすぎ時に、前記第２の給水手段のみを用いて給水することを特徴とする請求項２記載の洗濯機。
【請求項４】
前記制御手段は、前記水槽内に水を溜め、且つ前記給水手段から給水しながらすすぎを行う注水すすぎ時に、給水初期は前記第２の給水手段のみを用いて給水し、その後は前記第１の給水手段及び前記第２の給水手段の両方を用いて給水し、前記水槽内の水位が溢水水位に達した後は前記第１の給水手段のみを用いて給水することを特徴とする請求項２又は３記載の洗濯機。
【請求項５】
風呂水を前記注水ケースを介して前記回転槽内へ供給するポンプを備え、
前記制御手段は、前記ポンプを用いて前記回転槽内へ給水する際に、給水初期は前記ポンプと前記第２の給水手段を用いて給水し、その後は前記ポンプのみを用いて給水することを特徴とする請求項２から４のいずれか１項に記載の洗濯機。
【発明の詳細な説明】
【技術分野】
【０００１】
本発明は、回転槽に水を供給する給水手段を備えた洗濯機に関する。
【背景技術】
【０００２】
一般に、洗濯機の回転槽には、水道等の給水源からの水が１個の給水弁及び注水ケース（洗剤ボックス）を通って供給されている。即ち、一般的な洗濯機は、給水源からの水が回転槽内に１方向から供給される構成である。しかし、この構成では、回転槽内に供給される水が常に回転槽の同じ所に供給されるので、回転槽内に収容された洗濯物全体を早期に湿らせることは難しい。
【０００３】
そのため、例えば特許文献１の洗濯機では、回転槽の上端部全周から水を回転槽内に供給するようにしている。この洗濯機は、具体的には、給水弁及び注水ケースを通って供給される水を受ける水受部と、水受部に連なって回転槽の上縁の全周に延びる水路とを有している。又、水路の下面には、複数の注水孔が形成されている。この構成により、給水源からの水は、給水弁及び注水ケースを通った後に水受部で受けられ、更に水路に沿って回転槽の上縁の全周に広がり、回転槽の上縁の水路の注水孔から回転槽内に供給され、回転槽内に収容された洗濯物全体を早期に湿らせることができるとされている。
【先行技術文献】
【特許文献】
【０００４】
【特許文献１】特開平９−２８５６８６号公報
【発明の概要】
【発明が解決しようとする課題】
【０００５】
しかしながら、特許文献１の洗濯機では、給水源からの水は、回転槽の上縁の水路の注水孔から回転槽内に供給されるので、回転槽の外周付近にある洗濯物には供給されるが、回転槽の中心部にある洗濯物には供給され難い。又、一般に、注水ケースは大気に開放されているので、給水源から供給される水の圧力は低下してしまう。更には、特許文献１の洗濯機では、注水ケースから供給される水が大気に開放された水受部で受けられる構成であるので、水受部でも水の圧力は低下してしまう。そのため、特許文献１の洗濯機では、水路に形成した注水孔から勢いよく水を放出させることができず、回転槽の中心部にある洗濯物を湿らせることは難しい。
【０００６】
又、特許文献１の水路は、回転槽の上縁の全周につながって設けられているので、水路に供給された水は、注水孔から均一に回転槽内に供給される。そのため、洗い行程及びすすぎ行程中に、回転槽内の必要な所のみに水を供給することができず、洗い、すすぎを適量な水量で効率よく行うことができない。
【０００７】
本発明は、上記の事情に鑑みてなされたものであり、その目的は、回転槽内に収容された洗濯物を早期に湿らせることができると共に、回転槽内の必要な所に水を供給することができる洗濯機を提供することである。
【課題を解決するための手段】
【０００８】
上記目的を達成するために、本発明の洗濯機は、水槽と、脱水孔を有し前記水槽内に回転可能に設けられた有底円筒状をなす回転槽と、給水源から供給される水を前記回転槽内に互いに異なる方向へ供給する複数の給水手段と、洗い行程、すすぎ行程及び脱水行程を実行するように洗濯機負荷を制御すると共に、前記複数の給水手段を独立に制御する制御手段とを備えていることを特徴とする。
【発明の効果】
【０００９】
本発明の洗濯機によれば、複数の給水手段が給水源から供給される水を回転槽内に互いに異なる方向へ供給するので、回転槽内に収容された洗濯物は複数の方向から供給される水で湿らさられる。これにより、洗濯物全体を早期に湿らせることができる。
又、複数の給水手段を独立に制御する構成であるので、洗い行程及びすすぎ行程中に、回転槽内の必要な所に水を供給することができ、洗い、すすぎを適量な水量で効率よく行うことができる。
【図面の簡単な説明】
【００１０】
【図１】本発明の第１の実施形態を示す洗濯機全体の縦断側面図
【図２】図１に示した洗濯機のトップカバーの後部を示す平面図
【図３】電気的な概略構成を示すブロック図
【図４】洗濯機負荷の動作を示すタイムチャート
【図５】本発明の第２の実施形態を示す図４相当図
【図６】本発明の第３の実施形態を示す図４相当図
【図７】本発明の第４の実施形態を示す図４相当図
【図８】本発明の第５の実施形態を示す図４相当図
【図９】本発明の第６の実施形態を示す図４相当図
【発明を実施するための形態】
【００１１】
以下、本発明の第１の実施形態について図１から図４を参照して説明する。
図１に、洗濯機１の全体構造を示す。尚、図１において左方を洗濯機１の前方とする。図１に示すように、洗濯機１の外箱２内には、水槽３が図示しない弾性支持部材により弾性支持されている。水槽３内には、衣類が収容される回転槽４が回転可能に設けられている。回転槽４の側面には、多数の脱水孔５が形成されている。回転槽４の上端部には、回転槽４の回転時のバランスを維持するためのバランスリング６が設けられている。回転槽４の内側の底部には、パルセータ７が回転可能に設けられ、水槽３の外側の底面には、モータ８及びクラッチ機構部９が設けられている。モータ８は、回転槽４及びパルセータ７を回転させる駆動源であり、回転槽４及びパルセータ７にクラッチ機構部９を介して接続されている。クラッチ機構部９は、例えば、特開２０００−２７９６９２号公報に記載されている周知のものであり、モータ８の駆動力を回転槽４及びパルセータ７の一方又は両方に伝達するように切り換える作用をする。
【００１２】
水槽３の底面には、水槽３に残留した洗濯水を排出する導出管１０が接続されている。この導出管１０には、電磁弁からなる排水弁１１を介して排水管１２が接続されている。排水管１２の端部は、洗濯機１の外部に向けて開口しており、水槽３内の洗濯水が排出可能となっている。
【００１３】
外箱２の上端部には、トップカバー１３が設けられている。トップカバー１３の前面部の外側には、操作パネル１４が設けられ、トップカバー１３の前面部の内部には、制御手段たる制御装置１５が設けられている。制御装置１５は、詳しくは後述するが、洗濯モードに応じて洗濯機１の洗濯機負荷を制御するものである。トップカバー１３の中央部には、折畳まれることにより開放可能な外蓋１６が設けられている。又、水槽３の上端の周縁部には、水槽カバー１７が設けられている。この水槽カバー１７の内周部で回転槽４に相当する領域には、上方へ回動されて開かれる内蓋１８が設けられている。
【００１４】
トップカバー１３の後部には、図２にも示すように、水道等の給水源から供給される水を回転槽４内に供給する複数の給水手段、この場合、第１の給水手段２０及び第２の給水手段２１の２つが設けられている。
【００１５】
第１の給水手段２０は、給水ユニット２２（図２参照）、注水ケース２３及び第１の水路管２４を有している。給水ユニット２２は、例えば三連式の電磁弁であり、この場合、第１の電磁弁２５Ａ、第２の電磁弁２５Ｂ及び第３の電磁弁２５Ｃ（図２及び図３参照）を有している。更に給水ユニット２２は、これらの電磁弁２５Ａ，２５Ｂ，２５Ｃに給水源からの水を供給するための給水接続口２６を有している。この給水接続口２６には、水道の蛇口に接続されたホース（図示せず）が取り付けられる。
【００１６】
注水ケース２３は、上面が開放されて大気に開放された箱状をなしている。注水ケース２３内は、図２に示すように仕切り板２３Ａによって２つの部屋２３Ｂ，２３Ｃに仕切られている。注水ケース２３の部屋２３Ｂには洗剤が収容され、部屋２３Ｃには柔軟剤が収容される。又、給水ユニット２２の第１の電磁弁２５Ａの出口２２Ａは、注水ケース２３の部屋２３Ｂに接続され、給水ユニット２２の第２の電磁弁２５Ｂの出口２２Ｂは、注水ケース２３の部屋２３Ｃに接続されている。更に、部屋２３Ｂの下面には孔２３Ｄが形成され、部屋２３Ｃの下面には孔２３Ｅが形成されている。注水ケース２３の孔２３Ｄ及び孔２３Ｅの下方には図示しない一つの部屋が設けられ、この部屋の下面に図示しない排水孔が形成されている。
【００１７】
第１の水路管２４は、蛇腹状をなし、上下に延びる方向で配置されている。この第１の水路管２４は、上端部が上述した注水ケース２３の下面に形成された排水孔に連通して設けられ、下端部が水槽カバー１７に形成された図示しない孔に連通して設けられている。この第１の水路管２４の下端部が連通する水槽カバー１７に形成された図示しない孔は、回転槽４の上方に形成されている。
【００１８】
この構成により、給水源から第１の給水手段２０に供給された水のうち第１の電磁弁２５Ａに供給された水は、注水ケース２３の部屋２３Ｂに流れ込み孔２３Ｄから下方の図示しない部屋に排出される。又、給水源から第１の給水手段２０に供給された水のうち第２の電磁弁２５Ｂに供給された水は、注水ケース２３の部屋２３Ｃに流れ込み孔２３Ｅから下方の図示しない部屋に排出される。そして、孔２３Ｄ及び孔２３Ｅから下方に排出されて図示しない部屋に排出された水は、共通の排水孔から第１の水路管２４を介して回転槽４内に下方向（図１中の矢印Ａ方向）へ放出され、回転槽４内に供給される。
【００１９】
第２の給水手段２１は、給水ユニット２２及び第２の水路管２７を有している。第２の水路管２７は、例えばホースで構成され、上端部が給水ユニット２２の第３の電磁弁２５Ｃの出口２２Ｃに連通して設けられ、下端部が水槽カバー１７に形成された図示しない孔に連通して設けられている。この水槽カバー１７に形成された第２の水路管２７の下端部が連通する孔は、回転槽４の上方に形成されている。第２の水路管２７は、下端部の先端にノズル２８が設けられている。ノズル２８は、第１の給水手段２０の第１の水路管２４の水の供給方向すなわち下方向と異なる方向、この場合、回転槽４の回転中心の方向（図１及び図２中の矢印Ｂ方向）へ水を供給するように設けられている。この構成により、給水源から供給された水は、注水ケースを介さずに、給水ユニット２２の第３の電磁弁２５Ｃ、第２の水路管２７及びノズル２８を介して回転槽４内に下方向と異なる方向、この場合、回転槽４の回転中心の方向側の延長線上に位置する回転槽４の側面に供給される。尚、ノズル２８の幅方向を広げることにより、広い範囲にわたって水を供給する構成としても良い。
【００２０】
トップカバー１３内の注水ケース２３の近傍には、風呂水を水槽３に供給するための風呂水用のポンプ３１が設けられている。風呂水用のポンプ３１は、図示しないホースによって風呂水が貯えられた給水源とつながるようになっている。又、注水ケース２３と風呂水用のポンプ３１とは、図２に示すように風呂水ホース３２及び呼び水ホース３３の２本のホースによってつながっている。風呂水ホース３２は、風呂水が貯えられた給水源からの風呂水を注水ケース２３の部屋２３Ｂに送るためのものである。呼び水ホース３３は、風呂水用のポンプ３１が空運転しないように、注水ケース２３の部屋２３Ｂから風呂水用のポンプ３１に給水源からの水を供給するためものである。
【００２１】
図３は、洗濯機１の電気的な概略構成を示すブロック図である。制御装置１５は、例えばマイクロコンピュータからなっている。この制御装置１５には、水槽３内の水位を検知するように設けた水位センサ３４からの水位検知信号、操作パネル１４に設けられた操作部１４Ａからの操作信号等が入力されるようになっている。更に、制御装置１５は、モータ８の回転数を検知するように設けられた回転センサ３５からの回転数検知信号が入力されるようになっている。
【００２２】
制御装置１５及び回転センサ３５は、回転槽４内に収容された洗濯物の重量を検知する重量検知手段と、回転槽４内の洗濯物の有無を検知する洗濯物検知手段を構成する。具体的には、制御装置１５は、モータ８を駆動してパルセータ７を回転させ、そのときの回転センサ３５の回転数の大きさと、制御装置１５が予め有しているデータに基づき、回転槽４内に収容された洗濯物の重量を判断する。回転槽４内に収容された洗濯物の量（重量）が多い場合には、回転センサ３５が検出する回転数が低く、洗濯物の量（重量）が少ない場合には、回転センサ３５が検出する回転数が高くなる。
【００２３】
制御装置１５は、上述の重量検知を行うと共に、洗濯機１の作動全般（例えば、洗い行程、すすぎ行程、脱水行程）の各種運転コースを実行させる制御を行う。この場合、制御装置１５は、駆動回路３６を介して各種洗濯機負荷たるモータ８、クラッチ機構部９、排水弁１１、給水ユニット２２の第１の電磁弁２５Ａ、第２の電磁弁２５Ｂ、第３の電磁弁２５Ｃ及び風呂水用のポンプ３１等を制御すると共に、操作パネル１４に設けられた表示部１４Ｂに各種の表示を行う。
【００２４】
次に上記構成の作用について図４を参照して説明する。図４は、洗い行程、すすぎ行程及び脱水行程中の洗濯機負荷のタイムチャートを示している。尚、洗い行程前に回転槽４内に洗濯物を収容すると共に、注水ケース２３の部屋２３Ｂに洗剤を投入し、部屋２３Ｃに柔軟剤を投入しておく。又、給水源は水道とする。
【００２５】
洗い行程では、重量検知、給水及び洗いが行われる。重量検知では、制御装置１５は、モータ８によりパルセータ７のみを回転させ、そのときの回転センサ３５の回転数の大きさと、制御装置１５が予め有したデータに基づき、洗濯物の重量を判断する。
【００２６】
次に、制御装置１５は、検出した重量に基づき、給水水位を決定し、回転槽４の回転を停止させた状態で給水を開始する。この給水において、制御装置１５は、まず、排水弁１１を閉塞した状態で、第１の給水手段２０の第１の電磁弁２５Ａ及び第２の給水手段２１の第３の電磁弁２５Ｃを開放して、回転槽４内に所定量の水が溜まるまで給水を実行する。このとき、第１の給水手段２０及び第２の給水手段２１は、給水源からの水を回転槽４内の互いに異なる方向（図１中の矢印Ａ方向及び矢印Ｂ方向）へ供給するので、回転槽４内に収容された洗濯物は複数の方向から供給される水で湿らせられる。又、第１の給水手段２０から供給される水は、注水ケース２３を通っているので大気に開放されて圧力が低下され、且つ注水ケース２３の部屋２３Ｂに収容された洗剤と混ざって回転槽４に供給される。一方、第２の給水手段２１から供給される水は、注水ケースを通っていないので大気に開放されておらず、水道から供給される高い圧力で回転槽４に供給される。又、この給水時には、回転槽４の回転が停止されているので、第２の給水手段２１から供給される水を、定めた方向（矢印Ｂ方向）に効率よく供給することができる。
【００２７】
回転槽４に所定量の水が溜まると、制御装置１５は、モータ８によりパルセータ７を正逆回転させると共に、必要に応じて第１の電磁弁２５Ａ及び第３の電磁弁２５Ｃを適宜開放させる。これにより、回転槽４内に収容された洗濯物の洗いが行われる。
【００２８】
制御装置１５は、洗い行程が終了すると、すすぎ行程を実行する。すすぎ行程では、排水、第１の脱水、シャワーすすぎ、第２の脱水、給水及びためすすぎが行われる。制御装置１５は、まずパルセータ７の回転を停止させ、排水弁１１を開放させて、回転槽４内の水を導出管１０及び排水管１２から機外へ排水する。
【００２９】
次に、制御装置１５は、回転槽４を高速回転させて、回転槽４内にある洗濯物に浸み込んだ洗濯水を遠心力で脱水孔５から水槽３内に移動させ、水槽３内に移動した水を排水させる第１の脱水を実行する。このとき、回転槽４内にある多くの洗濯物は、回転槽４の回転による遠心力で、回転槽４の側面に張り付いた状態となる。
【００３０】
次に、制御装置１５は、排水弁１１を開放させた状態で回転槽４を回転させながら、第３の電磁弁２５Ｃを開放させて第２の給水手段２１のみを用いて給水してシャワーすすぎを実行する。このとき、第２の給水手段２１からの水は回転槽４内の側面にも供給されるので、第１の脱水によって回転槽４の側面に張り付いている洗濯物はこの第２の給水手段２１から供給される水によって十分に剥がされる。
【００３１】
次に、制御装置１５は、排水弁１１を開放し且つ第３の電磁弁２５Ｃを閉塞した状態で、回転槽４を高速回転させることで、第２の脱水を実行する。次に、制御装置１５は、回転槽４の回転を停止させて、排水弁１１を閉塞し、第３の電磁弁２５Ｃを開放させた後に第１の電磁弁２５Ａを開放させて、給水を実行する。その後、制御装置１５は、パルセータ７を回転させ、第１の電磁弁２５Ａ及び第３の電磁弁２５Ｃを閉塞し、第２の電磁弁２５Ｂを所定時間開放させて注水ケース２３の部屋２３Ｃに収容された柔軟剤を回転槽４に供給して、ためすすぎを実行する。
【００３２】
制御装置１５は、すすぎ行程が終了すると、脱水行程を実行する。脱水行程では、排水及び脱水が行われる。制御装置１５は、回転槽４及びパルセータ７の回転を停止させ、排水弁１１を開放させて排水を実行する。次に、制御装置１５は、排水弁１１を開放させた状態で回転槽４を高速回転させて脱水を実行する。
脱水行程が終了することにより、洗濯の運転コースは終了する。
【００３３】
本実施形態によれば、次のような効果を奏する。
第１の給水手段２０及び第２の給水手段２１は、給水源からの水を回転槽４内の互いに異なる方向へ供給するので、回転槽４内に収容された洗濯物は複数の方向から供給される水で湿らせられる。これにより、洗濯物全体を早期に湿らせることができる。
【００３４】
又、第１の給水手段２０の第１の電磁弁２５Ａ、第２の電磁弁２５Ｂ及び第２の給水手段２１の第３の電磁弁２５Ｃを独立に制御する構成であるので、洗い行程、すすぎ行程及び脱水行程時に、回転槽４内の必要な所に水を供給することができ、洗い、すすぎを適切な水量で効率よく行うことができ、給水源として水道を用いた場合に水道代を低減することができる。
【００３５】
第１の給水手段２０は、水源から供給される水を注水ケース２３を介して回転槽４内に供給し、第２の給水手段２１は、給水源から供給される水を注水ケース２３を介さずに回転槽４内に供給するので、異なる圧力で回転槽４内に水を供給することができる。これにより、洗濯物の量や洗濯の運転コースに合わせて給水パターンを変更することができる。
【００３６】
シャワーすすぎ時は、第３の電磁弁２５Ｃのみを開放して、第２の給水手段２１から回転槽４内に給水源からの水を供給するようにしたので、第２の給水手段２１から回転槽４の側面に水が供給されるようになる。これにより、すすぎ行程中の第１の脱水時に回転槽４の側面に張り付いた洗濯物を十分に剥がすことができる。よって、回転槽４の側面から剥がされた洗濯物は水と接する表面積が増し、その後のすすぎ及び脱水を効率よく行うことができる。
【００３７】
次に、本発明の第２の実施形態を図５を参照して説明する。尚、上記第１の実施形態と同一部分には同一符号を付し、その詳細な説明は省略する。
第２の実施形態では、図５に示すように、制御装置１５は、洗い行程時の洗いにおけるパルセータ７の正逆回転の時間が異なるように、本実施形態ではパルセータ７の正転時間を長くするようにパルセータ７の回転を制御している。又、制御装置１５は、パルセータ７の回転時間が長い回転方向のとき、本実施形態では正転のときに、必要に応じて、第１の電磁弁２５Ａ及び第３の電磁弁２５Ｃを開放して給水を行うようにしている。
【００３８】
このように、洗い行程時の洗いにパルセータ７の正逆回転の時間の割合を変えることにより、洗濯物を十分に動かすことができ、洗濯物の撹拌を十分に行うことができる。又、パルセータ７の回転時間が長い回転方向のときに第１の電磁弁２５Ａ及び第３の電磁弁２５Ｃを開放して給水を行うことにより、洗濯物を効率的に湿らせることができる。
【００３９】
次に、本発明の第３の実施形態を図６を参照して説明する。尚、上記第１の実施形態と同一部分には同一符号を付し、その詳細な説明は省略する。
第３の実施形態では、図６に示すように、すすぎ行程中の第２の脱水後の給水後に、第１の実施形態のためすすぎの代わりに注水すすぎを行うようにしている。注水すすぎとは、水槽３内に水を溜め、且つ水槽３内に給水しながらすすぎを行うことである。この注水すすぎを有するすすぎ行程では、制御装置１５は、すすぎ行程中の給水初期に第３の電磁弁２５Ｃのみを開放して第２の給水手段２１のみから給水し、水槽３に所定量の水が溜まった後或いは給水が所定時間経過した後に第１の電磁弁２５Ａも開放して、第１の給水手段２０及び第２の給水手段２１の両方を用いて給水する制御を実行するようにしている。そして、制御装置１５は、水位センサ３４による水槽３内の水位を検出し、水槽３内の水位が溢水水位に達したと判断した後に、第１の電磁弁２５Ａのみを開放して第１の給水手段２０のみを用いて給水を実行するようにしている。
【００４０】
このように、すすぎ行程中の給水初期に第２の給水手段２１のみを用いて給水することにより、すすぎ行程中の第１の脱水時に回転槽４の側面に張り付いた洗濯物を十分に剥がすことができる。よって、回転槽４の側面から剥がされた洗濯物は水と接する表面積が増し、すすぎ及び脱水を効率よく行うことができる。
水槽３に所定量の水が溜まった後或いは給水が所定時間経過した後は、第１の給水手段２０及び第２の給水手段２１の両方を用いて給水するようにしたので、水槽３内に水を早期に溜めることができる。
【００４１】
次に、本発明の第４の実施形態を図７を参照して説明する。尚、上記第１の実施形態と同一部分には同一符号を付し、その詳細な説明は省略する。
第４の実施形態では、図７に示すように、制御装置１５が風呂水用のポンプ３１の駆動を制御して給水を実行するようにしている。具体的には、制御装置１５は、洗い行程中の給水時に、第３の電磁弁２５Ｃを開放させて第２の給水手段２１から回転槽４に水を供給すると共に、風呂水用のポンプ３１を駆動して風呂水を注水ケース２３の部屋２３Ｂに供給して第１の給水手段２０の第１の水路管２４から回転槽４内に供給するようにしている。
【００４２】
洗い行程中の洗い時には、制御装置１５は、パルセータ７の正転時に適宜、第１の電磁弁２５Ａ及び第３の電磁弁２５Ｃを開放すると共に風呂水用のポンプ３１を駆動して、給水源からの水を第１の給水手段２０及び第２の給水手段２１から回転槽４に供給すると共に、風呂水を第１の給水手段２０の第１の水路管２４から回転槽４に供給するように制御している。
【００４３】
このように、洗い行程中の給水時に、水道水等の給水源からの水以外に風呂水を用いるようにしたので、給水に用いる水をすべて水道水とした場合に比べて水道代を低減することができる。そして、給水源からの水を第２の給水手段２１から回転槽４に供給すると共に、風呂水用のポンプ３１を介して第１の給水手段２０の第１の水路管２４から回転槽４に供給するようにしたので、給水源からの水及び風呂水は、回転槽４に異なる方向から供給される。これにより、第１の実施形態と同様の作用効果を得ることができる。
【００４４】
次に、本発明の第５の実施形態を図８を参照して説明する。尚、上記第４の実施形態と同一部分には同一符号を付し、その詳細な説明は省略する。
第５の実施形態では、図８に示すように、洗い行程中の給水時において、風呂水用のポンプ３１を用いて回転槽４内へ給水する際に、給水初期は風呂水用のポンプ３１及び第２の給水手段２１を用いて給水し、その後は風呂水用のポンプ３１のみを用いて給水するようにしている。具体的には、制御装置１５は、洗い行程中の給水時に第３の電磁弁２５Ｃを開放させて第２の給水手段２１から回転槽４に水を供給すると共に、風呂水用のポンプ３１を駆動して風呂水を注水ケース２３の部屋２３Ｂに供給して、風呂水を第１の給水手段２０の第１の水路管２４から回転槽４内に供給するようにしている。そして、水槽３に所定量の水が溜まった後或いは給水が所定時間経過した後には、制御装置１５は、第３の電磁弁２５Ｃを閉塞させて、風呂水のみで給水を行うようにしている。その後の洗い以降は、第４の実施形態と同様の行程が行われる。
【００４５】
このように、洗い時の給水初期には、給水源からの水を第２の給水手段２１から回転槽４に供給すると共に、風呂水用のポンプ３１を介して第１の給水手段２０の第１の水路管２４から回転槽４に供給し、その後は風呂水のみで給水するようにしたので、水道代を低減することができると共に、第４の実施形態と同様の作用効果を得ることができる。
【００４６】
次に、本発明の第６の実施形態を図９を参照して説明する。尚、上記第１の実施形態と同一部分には同一符号を付し、その詳細な説明は省略する。
第６の実施形態は、洗濯物の量が少ない場合に適用したものであり、図９に示すように、すすぎ行程中の給水時に第１の給水手段２０又は第２の給水手段２１のいずれか一方、この場合第２の給水手段２１からのみで給水を行うようにしている。具体的には、回転センサ３５の信号に基づいた重量検知において、制御装置１５は、洗濯物が予め決められた基準の量よりも少ないと判断した場合、すすぎ行程中の給水時に第３の電磁弁２５Ｃのみを開放させて第２の給水手段２１のみで給水を行うように制御している。
【００４７】
洗濯物の量が少ない場合のすすぎ行程では、洗濯物は回転槽４の底面側に溜まり易い。この場合、第２の給水手段２１が回転槽４の回転中心の方向へ水を供給するように設けられているので、第２の給水手段２１のみで洗濯物を十分に湿らせることができる。
【００４８】
尚、本発明は上記し且つ図面に示す実施形態に限定されず、次のような変形、拡張が可能である。
第２の給水手段２１の第２の水路管２７に設けられるノズル２８を、水槽カバー１７の下面に回転可能に取り付け、第２の給水手段２１から放出される水の方向を変更できるようにしても良い。
第６の実施形態において、図９に示すようにすすぎ行程中のシャワーすすぎ及び第２の脱水の工程を省略しているが、第６の実施形態でもシャワーすすぎ及び第２の脱水を実行しても良い。
【００４９】
第１〜第６の実施形態に示すタイムチャートは、一例に過ぎず、適宜、パルセータ７の正逆回転方向及び回転の有無、回転槽４の回転の有無、第１の電磁弁２５Ａの開放と閉塞の有無、第２の電磁弁２５Ｂの開放と閉塞の有無、第３の電磁弁２５Ｃの開放と閉塞の有無、排水弁１１の開放と閉塞の有無、風呂水用のポンプ３１の駆動及び停止を変更することができる。又、すすぎ行程では、シャワーすすぎ、注水すすぎ、ためすすぎを適宜組み合わせ、或いは省略することができる。
その他、本発明は縦軸型の自動洗濯機に限らず、ドラム式の洗濯乾燥機等にも適用でき、更には、本発明の要旨を逸脱しない範囲内で適宜変更して実施し得る。
【符号の説明】
【００５０】
図面中、３は水槽、４は回転槽、５は脱水孔、１５は制御装置（制御手段）、２０は第１の給水手段、２１は第２の給水手段、２３は注水ケース、３１はポンプを示す。
【図１】
2010268842.tif 000003
【図２】
2010268842.tif 000004
【図３】
2010268842.tif 000005
【図４】
2010268842.tif 000006
【図５】
2010268842.tif 000007
【図６】
2010268842.tif 000008
【図７】
2010268842.tif 000009
【図８】
2010268842.tif 000010
【図９】
2010268842.tif 000011